(57)【要約】【課題】アクチュエータ（ステップモータ）の作動不良を防止する。【解決手段】ＩＳＣバルブ（流量制御弁）５１は、流体が流れるバイパス通路７０を開閉する弁体１１０と、その弁体１１０を作動させるロータシャフト１２７を有するステップモータ１０８とを備える。ステップモータ１０８の開作動時におけるロータシャフト１２７の軸移動が、そのロータシャフト１２７の前端部のバルブストッパ部２５６と弁体１１０との当接によって規制される。また、ステップモータ１０８の閉作動時におけるロータシャフト１２７の軸移動が、そのロータシャフト１２７の後端部のバルブストッパ部２５７とカバープレート１２３との当接によって規制される。【選択図】図１９
2008019957.tif 000002
【特許請求の範囲】
【請求項１】
流体が流れる流体通路を開閉する弁体と、その弁体を作動させる作動部材を有するアクチュエータとを備える流量制御弁であって、
前記アクチュエータの開作動時及び閉作動時の少なくとも一方の作動時における前記作動部材の軸移動を、その作動部材の軸移動方向の端部とその端部に対向する部材との当接によって規制する構成としたことを特徴とする流量制御弁。
【請求項２】
請求項１に記載の流量制御弁であって、
前記アクチュエータの開作動時における前記作動部材の軸移動方向の端部に当接する部材が、弁体であることを特徴とする流量制御弁。
【請求項３】
請求項１又は２に記載の流量制御弁であって、
前記アクチュエータの閉作動時における前記作動部材の軸移動方向の端部に当接する部材が、該アクチュエータの固定側部材であることを特徴とする流量制御弁。
【請求項４】
請求項１〜３のいずれか１つに記載の流量制御弁であって、
前記アクチュエータが、ステップモータであり、
前記作動部材が、前記ステップモータの固定側部材に対して一対の滑り軸受により回転可能に支持されているロータシャフトである
ことを特徴とする流量制御弁。
【請求項５】
請求項４に記載の流量制御弁であって、
前記滑り軸受が、ドライベアリングであることを特徴とする流量制御弁。
【請求項６】
請求項４又は５に記載の流量制御弁であって、
前記滑り軸受が、前記アクチュエータの金属部に設けられていることを特徴とする流量制御弁。
【請求項７】
請求項６に記載の流量制御弁であって、
前記滑り軸受が、前記アクチュエータの樹脂部に設けられていることを特徴とする流量制御弁。
【請求項８】
エンジンの吸気通路に設けられたスロットルバルブを迂回する補助吸気通路を流れる補助吸気量を、請求項１〜８のいずれか１つに記載の流量制御弁により制御する構成としたことを特徴とするエンジンの補助吸気量制御装置。
【請求項９】
前記エンジンの吸気通路及び前記スロットルバルブを備えるスロットルボデーと、
前記スロットルボデーに着脱可能又は着脱不能に設けられるデバイスブロックに対して、請求項８に記載のエンジンの補助吸気量制御装置をモジュール化してなるデバイスユニットと
を備えたことを特徴とするエンジンの吸気装置。
【請求項１０】
請求項９に記載のエンジンの吸気装置であって、
前記スロットルボデーと前記デバイスユニットとの協働により前記補助吸気通路を形成する構成としたことを特徴とするエンジンの吸気装置。
【発明の詳細な説明】
【技術分野】
【０００１】
本発明は、流量制御弁及びエンジンの補助吸気量制御装置並びに吸気装置に関する。
【背景技術】
【０００２】
従来の流量制御弁には、例えば、特許文献１に記載されたものがある。なお、図３９は特許文献１にかかる流量制御弁を示す断面図である。
図３９に示すように、流量制御弁３００Ｖは、補助吸気いわゆるバイパス吸気が流れるバイパス通路３１５を開閉するバルブピストン３２５と、バルブピストン３２５を作動させるアクチュエータ３２８とを備えている。バルブピストン３２５は、バルブボディ３１１のバルブガイド孔３１９内に軸方向に移動可能に嵌装されている。バルブボディ３１１には、バルブガイド孔３１９に開口すると共にバイパス通路３１５の上流側に連なるバルブ入口孔３２３と、このバルブ入口孔３２３に隣接してバルブガイド孔３１９の内周面に開口すると共にバイパス通路３１５の下流側に連なるバルブ出口孔３２４とが設けられている。また、バルブピストン３２５には、中空部３２５ａと、この中空部３２５ａの一側壁（図３９において上側壁）を貫通してバルブ入口孔３２３と常時連通する連通開口部３２６、及び、バルブ出口孔３２４と協働してバイパス吸気量（補助吸気量）を制御する流量制御開口部３２９が設けられている。しかして、アクチュエータ３２８は、ステップモータ３２８（アクチュエータと同一符号を付す。）である。ステップモータ３２８のモータロータ３２８ａのロータシャフト３３０は、バルブピストン３２５に設けたナット部材３３２とねじ合わされている。また、ロータシャフト３３０は、ステータ３２８ｂに配設された一対の軸受３５０，３５１により回転可能に支持されている。
上記の流量制御弁３００Ｖにおいて、ステップモータ３２８の駆動制御によりモータロータ３２８ａを正転又は逆転させると、ロータシャフト３３０とナット部材３３２とによるねじ機構を介して、バルブピストン３２５が軸方向（図３９において左右方向）に移動される。これにより、バイパス通路３１５が開閉される、すなわちバルブ出口孔３２４の開口面積が増減される。
【０００３】
【特許文献１】特開２００２−３４９３９６
【発明の開示】
【発明が解決しようとする課題】
【０００４】
前記特許文献１に記載された流量制御弁３００Ｖ（図３９参照。）において、ロータシャフト３３０を軸支する一対の軸受３５０，３５１として、例えば滑り軸受を用いた場合、その軸受に対してロータシャフト３３０が軸方向に位置決めされないため、ロータシャフト３３０が軸方向に移動（「軸移動」という。）をきたすことになる。したがって、例えば、ステップモータ３２８によりバルブピストン３２５を開いていく場合は、バルブピストン３２５がバルブガイド孔３１９の孔底面３１９ａに当接することにより、その以上のバルブピストン３２５の移動が規制される。この状態で、さらにステップモータ３２８が開方向へ駆動されると、モータロータ３２８ａが反バルブピストン側（図３９において左側）への反力を受けることにより、その方向へロータシャフト３３０が軸移動される。すると、モータロータ３２８ａが軸受３５０に強く押し付けられる結果、モータロックをきたすおそれがある。また、そのモータロックを解除するためには、開方向へ回転したトルク以上の大きなトルクをもってモータロータ３２８ａを閉方向へ回転させる必要があるが、そのような大きなトルクをもってモータロータ３２８ａを閉方向へ回転させることは難しく、ステップモータ１０８の脱調を招くことなる。
【０００５】
また、ステップモータ３２８によりバルブピストン３２５を閉じていく場合は、バルブピストン３２５がステップモータ３２８の固定側部材（符号、３５３を付す。）に当接することにより、その以上のバルブピストン３２５の移動が規制される。この状態で、さらにステップモータ３２８が閉方向へ駆動されると、ロータシャフト３３０とともにモータロータ３２８ａがバルブピストン側（図３９において右側）へ軸移動される。すると、モータロータ３２８ａが軸受３５１に強く押し付けられる結果、モータロックをきたすおそれがある。また、そのモータロックを解除するためには、閉方向へ回転したトルク以上の大きなトルクをもってモータロータ３２８ａを開方向へ回転させる必要があるが、そのような大きなトルクをもってモータロータ３２８ａを開方向へ回転させることは難しく、ステップモータ１０８の脱調を招くことなる。
上記したように、前記流量制御弁３００Ｖでは、ステップモータ３２８の開作動時及び閉作動時において、モータロータ３２８ａが軸移動を発生することにより、モータロックすなわちステップモータ３２８の作動不良を招くという問題があった。
【０００６】
本発明が解決しようとする課題は、アクチュエータの作動不良を防止することのできる流量制御弁及びエンジンの補助吸気量制御装置並びに吸気装置を提供することにある。
【課題を解決するための手段】
【０００７】
前記課題は、特許請求の範囲の欄に記載された構成を要旨とする流量制御弁及びエンジンの補助吸気量制御装置並びに吸気装置により解決することができる。
すなわち、請求項１に記載された流量制御弁によると、アクチュエータの作動部材により弁体が作動されることで流体通路が開閉される。そして、アクチュエータの開作動時及び閉作動時の少なくとも一方の作動時における作動部材の軸移動が、その作動部材の軸移動方向の端部とその端部に対向する部材との当接によって規制される。このため、アクチュエータの開作動時及び閉作動時の少なくとも一方の作動時における作動部材の軸移動に起因するアクチュエータの作動不良を防止あるいは低減することができる。
【０００８】
また、請求項２に記載された流量制御弁によると、アクチュエータの開作動時における作動部材の軸移動を、その作動部材の軸移動方向の端部と弁体との当接によって規制することができる。
【０００９】
また、請求項３に記載された流量制御弁によると、アクチュエータの閉作動時における作動部材の軸移動を、その作動部材の軸移動方向の端部と該アクチュエータの固定側部材との当接によって規制することができる。
【００１０】
また、請求項４に記載された流量制御弁によると、ステップモータの固定側部材に対してロータシャフトが一対の滑り軸受により回転可能に支持されている。したがって、ロータシャフトを支持する軸受として、転がり軸受に比べて安価な滑り軸受を用いることにより、流量制御弁の低コスト化を図ることができる。
【００１１】
また、請求項５に記載された流量制御弁によると、滑り軸受がドライベアリングであるので、給油の必要がない。
【００１２】
また、請求項６に記載された流量制御弁によると、アクチュエータの金属部に滑り軸受を精度良く配置することができる。
【００１３】
また、請求項７に記載された流量制御弁によると、アクチュエータの樹脂部に滑り軸受を容易に配置することができる。
【００１４】
また、請求項８に記載されたエンジンの補助吸気量制御装置によると、アクチュエータの開作動時及び閉作動時の少なくとも一方の作動時における作動部材の軸移動に起因するアクチュエータの作動不良を防止あるいは低減することのできる流量制御弁により、補助吸気通路を流れる補助吸気量を制御することができる。
【００１５】
また、請求項９に記載されたエンジンの吸気装置によると、請求項８に記載された補助吸気量制御装置をデバイスブロックにモジュール化してなるデバイスユニットを、スロットルボデーに着脱可能又は着脱不能に設けることができる。
【００１６】
また、請求項１０に記載されたエンジンの吸気装置によると、スロットルボデーとデバイスユニットとの協働により補助吸気通路を容易に形成することができる。
【発明を実施するための最良の形態】
【００１７】
以下、本発明を実施するための最良の形態を以下の実施例を参照して説明する。
【実施例】
【００１８】
本発明の一実施例を図面にしたがって説明する。本実施例は、自動二輪車、原付自転車等の二輪車に用いられるエンジンの吸気装置について説明する。図１はエンジンの吸気装置を示す側面図、図２は同じく背面図、図３は図１のＩＩＩ−ＩＩＩ線矢視断面図、図４は図２のＩＶ−ＩＶ線矢視断面図である。なお、エンジンの吸気装置については、エアクリーナ（図示しない。）が接続される側（図１において右側）を前側とし、また、インテークマニホールド（図示しない。）が接続される側（図１において左側）を後側として説明することにする。なお、エンジンの吸気装置１の上下方向は、二輪車に対する搭載上の天地方向と同じになっている。
【００１９】
図２に示すように、エンジンの吸気装置１は、スロットルボデー２と、そのスロットルボデー２の一側（図２において右側）に着脱可能に設けられたデバイスユニット３とにより構成されている（図１参照。）。説明の都合上、スロットルボデー２を説明し、その後でデバイスユニット３を説明する。
図３に示すように、スロットルボデー２は、その主体をなすボデー本体５を備えている。ボデー本体５は、例えば樹脂製で、前後方向（図３において紙面表裏方向）に貫通するほぼ中空円筒状のボア壁部６を有している。ボア壁部６内の中空部がボア７となっている。なお、ボア壁部６の前端部（図４において左端部）にエアクリーナ（図示しない。）が接続され、また、ボア壁部６の後端側（図４において右端側）にインテークマニホールド（図示しない。）が接続されるようになっている。したがって、エアクリーナから流れてくる吸入空気は、ボア７を通じてインテークマニホールドへ流れてゆくことになる。なお、ボア７は、本明細書でいう「吸気通路」に相当する。また、ボア壁部６の後端側には、インテークマニホールドに代えて、エンジンが直に接続される場合もある。
【００２０】
図３に示すように、前記ボア壁部６には、前記ボア７を径方向すなわち左右方向に横切るスロットルシャフト９が配置されている。スロットルシャフト９は、例えば金属製である。スロットルシャフト９の両端部は、ボア壁部６に一体形成された左右一対の軸受ボス部１０，１１内に回転可能に支持されている。スロットルシャフト９と各軸受ボス部１０，１１との間には、それぞれゴム製のシール材１２が介装されている。各シール材１２は、スロットルシャフト９と各軸受ボス部１０，１１との間を弾性的にシールしている。
【００２１】
図４に示すように、前記スロットルシャフト９上には、前記ボア７を開閉するほぼ円板状のバタフライ式のスロットルバルブ１４がスクリュ１５により締着されている。スロットルシャフト９と一体でスロットルバルブ１４が回転することにより、ボア７内を流れる吸入空気量が制御される。なお、スロットルバルブ１４は、図４に実線１４で示す状態が閉状態であり、その閉状態より図４において右回り方向（図４中、矢印「Ｏ（オー）」方向参照。）へ回動されることにより開状態（図４中、二点鎖線１４参照。）となる。また、開状態のスロットルバルブ１４は、図４において左回り方向（図４中、矢印「Ｓ」方向参照。）へ回動されることにより閉状態（図４中、実線１４参照。）となる。
【００２２】
図３に示すように、前記スロットルシャフト９の右端部（図３において右端部）には、スロットルレバー１７がインサート成形より一体化されている。スロットルレバー１７と、それに対向する軸受ボス部１１との間には、コイルスプリングからなるリターンスプリング１８が介装されている。リターンスプリング１８は、スロットルレバー１７及びスロットルシャフト９並びにスロットルバルブ１４を常に閉方向へ付勢している。なお、スロットルレバー１７には、図示しないスロットル操作装置につながるアクセルワイヤが接続されかつ巻装されるようになっている。
【００２３】
前記スロットルシャフト９は、前記スロットルバルブ１４の締着に先立って、ボア壁部６の各軸受ボス１０，１１内にその右方から左方へ向けて挿通されている。スロットルシャフト９の挿入端部にワッシャ１９及びスペーサ２０が嵌合されたのち、その端部に形成された環状溝（符号省略）にスナップリング２１が装着されている。ワッシャ１９は、前記軸受ボス部１０の開口側端部内に形成された内径を大きくする開口凹部２２内に係止されている。これにより、スロットルシャフト９の抜け止めがなされている。また、スロットルシャフト９の挿入端（図３において左端部）は、軸受ボス部１０の開口端面よりも突出されている。その挿入端には、断面Ｄ字状をなすセンサロータ連結部２４が形成されている（図５参照。）。なお、図５はスロットルボデーのデバイスユニット取付側を示す側面図である。また、センサロータ連結部２４には、後述するデバイスユニット３が備えるスロットルポジションセンサ５２のセンサロータ１４３が連結可能となっている。
【００２４】
図３に示すように、前記ボア壁部６には、左側の軸受ボス部１０の外周部に連続するフランジ状のユニット装着部２６が一体形成されている。ユニット装着部２６には、左側の軸受ボス部１０の開口端面と同一平面をなしかつ前記スロットルシャフト９の軸線９Ｌに直交する外端面からなる装着面２６ａが形成されている（図２参照。）。この装着面２６ａに、後述するデバイスユニット３が着脱可能となっている。なお、スロットルシャフト９の軸線９Ｌは、スロットルバルブ１４の回動軸線に相当する。
【００２５】
図４に示すように、前記ユニット装着部２６には、バイパス入口孔２８及びバイパス出口孔３０が形成されている。バイパス入口孔２８は、ボア壁部６及びユニット装着部２６を左右方向（図４において紙面表裏方向）に貫通するストレート状の円形孔により形成されている。バイパス入口孔２８のボア側の開口端は、全閉状態の前記スロットルバルブ１４の上流側でかつ上部寄りの位置においてボア７の通路壁面に開口されている。また、バイパス入口孔２８の反ボア側の開口端は、ユニット装着部２６の装着面２６ａに開口されている（図５参照。）。
【００２６】
前記バイパス出口孔３０は、図４のほか、図６及び図７に表されている。なお、図６はバイパス通路を示す平断面図、図７は図６のＶＩＩ−ＶＩＩ線矢視断面図である。
図７に示すように、前記バイパス出口孔３０は、前記ユニット装着部２６の上部において縦方向に延びる縦孔部３１と、その縦孔部の上端部から左方（図７において右方）へ水平状に延びる横孔部３２とにより逆Ｌ字状に形成されている。図４に示すように、縦孔部３１のボア側の開口端は、全閉状態の前記スロットルバルブ１４の下流側においてボア７の通路壁面の上側部に開口されている。しかして、縦孔部３１は、上部が前方に傾斜しかつ下部が後方へ傾斜する直線３１Ｌに沿って延びる有底ストレート状の円形孔により形成されている（図４参照。）。
【００２７】
また、図７に示すように、前記横孔部３２は、前記縦孔部３１の上端部近くにおいてその縦孔部３１の直線３１Ｌに直交する直線３２Ｌに沿って延びるストレート状の段付円形孔により形成されている。横孔部３２は、ユニット装着部２６の装着面２６ａに開口する大径側の孔部３２ａと、大径側の孔部３２ａと縦孔部３１とを連通する小径側の孔部３２ｂとを有している。小径側の孔部３２ｂにおける大径側の孔部３２ａ側の口縁部が、後述するアイドルスピードコントロールバルブ（以下、「ＩＳＣバルブ」という。）５１の弁体１１０に対応する弁シート部３３となっている。しかして、縦孔部３１の上端部である孔底部は、小径側の孔部３２ｂより上方へ延出する異物溜め部３５となっている。これにより、エンジン側から縦孔部３１内へ吹き返される排ガス中に含まれるデポジット等の異物を、縦孔部３１の突き当たりに形成された異物溜め部３５に受け止めて溜めることができ、横孔部３２の上流側への逆流を防止あるいは低減することができる。
【００２８】
前記横孔部３２における大径側の孔部３２ａ内には、後述するデバイスブロック５０の弁体嵌合部７４が嵌合される。このため、横孔部３２における大径側の孔部３２ａを、「弁体嵌合部用孔部」という。
また、図５に示すように、前記ユニット装着部２６の装着面２６ａには、前記バイパス入口孔２８とバイパス出口孔３０（詳しくは、大径側の孔部３２ａ）とを連絡するバイパス通路溝３７が形成されている（図６参照。）。
【００２９】
図４に示すように、前記ボア７の通路壁面には、ストレート状の円形孔からなる上下一対の圧力取入口３８が形成されている。両圧力取入口３８は、開弁時におけるスロットルバルブ１４の下流側の外周部付近に生成される吸気流れの渦流の影響を避けた位置に開口されている。この「スロットルバルブの下流側の外周部付近に生成される吸気流れの渦流の影響を避けた位置」とは、例えば、全開状態（図４中、二点鎖線１４参照。）のスロットルバルブ１４の下流側端部１４ａの下流側の周辺部が相当する。さらに、両圧力取入口３８は、前記バイパス出口孔３０の縦孔部３１から流出する吸入空気（補助吸気）の流れの上流側でかつその吸入空気の影響を避けた位置に開口されている。さらに、両圧力取入口３８は、スロットルバルブ１４の下流側の外周部付近に生成される吸気流れの渦流の影響を避けた位置であって、バイパス出口孔３０の縦孔部３１から流出される吸入空気（補助吸気）の流れの上流側でかつその吸入空気の影響を避けた位置のうちでも、最も上流側に近い位置に開口されている。また、両圧力取入口３８のうち、二輪車に対するスロットルボデー２の搭載上、天地方向に関して地側（例えば、図４において下側）に位置する圧力取入口３８（符号、（Ａ）を付記する。）は、後述する合流孔部３９内に流入した異物（例えば、水）をボア７内へ排出する排出口となる。
【００３０】
図４に示すように、前記ユニット装着部２６には、両圧力取入口３８の左側（図４において紙面裏側）において装着面２６ａに開口する断面縦長の長円形状のストレート状の合流孔部３９が形成されている（図５参照。）。この合流孔部３９の上端部には上側の圧力取入口３８が連通され、その下端部には下側の圧力取入口３８が連通されている。また、図５に示すように、ユニット装着部２６の装着面２６ａには、前記合流孔部３９の上方近くから上流側（図５において右方）へ延びる長細状の連絡溝４０が形成されている。なお、両圧力取入口３８、合流孔部３９及び連絡溝４０は、後述する圧力センサ５４にかかる圧力通路１８７の一部を構成するものである。
【００３１】
図４に示すように、前記ボア壁部６及びユニット装着部２６には、左右方向（図４において紙面表裏方向）に貫通するストレート状の円形孔からなる吸気温検出用孔４２が設けられている。吸気温検出用孔４２は、全閉状態の前記スロットルバルブ１４の上流側でかつ下部寄りの位置すなわちバイパス入口孔２８の下方近くにおいてボア７の通路壁面に開口されている。また、バイパス入口孔２８の反ボア側の開口端は、ユニット装着部２６の装着面２６ａに開口されている（図５参照。）。
【００３２】
図５に示すように、前記ユニット装着部２６の外周部には、適数個（図５では上側に１個、下側に前後２個の計３個を示す。）の締結ボス部４４が形成されている。締結ボス部４４には、ねじ孔４４ａが形成されている。ねじ孔４４ａには、後述するデバイスユニット３のデバイスブロック５０を締結するための締結用ボルト４５（図２参照。）が締着可能となっている。
【００３３】
次に、前記スロットルボデー２に着脱可能に設けられるデバイスユニット３について説明する。なお、図１１はデバイスユニットの構成部品を示す分解斜視図である。
図１１に示すように、デバイスユニット３は、デバイスブロック５０に対して、デバイス部品（詳しくは、エンジンに関連するデバイス部品）としてＩＳＣバルブ５１、スロットルポジションセンサ５２、温度センサ５３、及び、圧力センサ５４を配線基板５５と共にモジュール化したものである。なお、デバイスユニット３については、説明の都合上、スロットルボデー２に対する取付側（図１１において下側）を前側とし、後述するデバイスカバー６０側（図１１において上側）を後側として説明する。
【００３４】
しかして、デバイスブロック５０には、複数のデバイス部品としてのＩＳＣバルブ５１、スロットルポジションセンサ５２、温度センサ５３、及び、圧力センサ５４が、後で説明するように、反スロットルボデー側（図１１において上側、図３において左側）からスロットルバルブ１４の回動軸線方向（図１１において上下方向、図３において左右方向）に沿って組付けられる構成となっている。さらに、ＩＳＣバルブ５１、スロットルポジションセンサ５２、温度センサ５３、及び、圧力センサ５４は、スロットルバルブ１４の回動軸線方向（図１１において上下方向、図３において左右方向）に非重合状態で配置されている。すなわち、ＩＳＣバルブ５１、スロットルポジションセンサ５２、温度センサ５３、及び、圧力センサ５４は、スロットルバルブ１４の回動軸線９Ｌに交差する方向（図３において上下方向及び紙面表裏方向）に分散的に配置されており、その回動軸線方向に重なり合わないように配置されている。なお、スロットルボデー２に対する取付側（図１１において下側）は本明細書でいう「スロットルボデー側」に相当し、また、デバイスカバー６０側（図１１において上側）は本明細書でいう「反スロットルボデー側」に相当する。
【００３５】
まず、デバイスブロック５０を説明する。なお、図１４はデバイスブロックを示す正面図、図１５は同じく背面図である。
図１１に示すように、前記デバイスブロック５０は、例えば、樹脂製であり、ほぼブロック状に形成されている。図１４に示すように、デバイスブロック５０の前側には、取付面５０ａが形成されている。取付面５０ａは、前記ユニット装着部２６の装着面２６ａ（図５参照。）に面接触状に接合可能に形成されている。また、図１５に示すように、デバイスブロック５０の後側には、その外周部に沿う周壁部５７が形成されている。デバイスブロック５０の周壁部５７内に、収容凹部５８が形成されている。なお、収容凹部５８には、後述するＩＳＣバルブ５１、スロットルポジションセンサ５２、温度センサ５３、圧力センサ５４、配線基板５５等が収容される。また、周壁部５７の開口端に対するデバイスカバー６０（後述する。）の樹脂溶着により、収容凹部５８が閉鎖されるようになっている。
【００３６】
図１１に示すように、前記デバイスブロック５０の外周部には、前記ユニット装着部２６の各締結ボス部４４（図５参照。）に対応する取付ボス部６２が形成されている。各取付ボス部６２には、ボルト挿通孔６２ａが形成されている（図１４及び図１５参照。）。ボルト挿通孔６２ａは、締結用ボルト４５（図２参照。）を挿通可能に形成されている。締結用ボルト４５を各取付ボス部６２のボルト挿通孔６２ａを通して各締結ボス部４４のねじ孔４４ａに締着することにより、スロットルボデー２にデバイスブロック５０が着脱可能に設けることができるようになっている（図１〜図３参照。）。
【００３７】
図１６はスロットルポジションセンサの周辺部を示す分解断面図である。図１６に示すように、前記デバイスブロック５０には、前後方向（図１６において上下方向）に貫通する中空円筒状のロータ嵌合孔部６４が形成されている。ロータ嵌合孔部６４の中央部の内周面には、環状に張り出すフランジ部６５が形成されている。また、ロータ嵌合孔部６４内は、後述するスロットルポジションセンサ５２のセンサロータ１４３がその後方（図１６において上方）から嵌合可能に形成されている。また、デバイスブロック５０の取付面５０ａには、ロータ嵌合孔部６４を取り囲む円筒状をなす接続筒部６６が突出されている。接続筒部６６は、前記ユニット装着部２６の装着面２６ａにおける左側の軸受ボス部１０の開口凹部２２内に嵌合可能に形成されている（図３参照。）。
【００３８】
図１４に示すように、前記デバイスブロック５０の取付面５０ａ上には、バイパス通路溝６８が形成されている。バイパス通路溝６８は、前記ユニット装着部２６の装着面２６ａのバイパス通路溝３７（図５参照。）に対応して形成されている（図６参照。）。図６に示すように、バイパス通路溝６８は、ユニット装着部２６の装着面２６ａにデバイスブロック５０の取付面５０ａを面接触させた際に、バイパス通路溝３７と協働して閉断面をなすバイパス通路７０を形成するものである。バイパス通路７０は、前記バイパス入口孔２８及び前記バイパス出口孔３０と連通することにより、スロットルバルブ１４を迂回する一連の通路を形成する。なお、バイパス通路７０は、本明細書でいう「補助吸気通路」、「流体通路」に相当する。また、バイパス通路７０を流れる吸入空気は、本明細書でいう「補助吸気」あるいは「流体」に相当する。
【００３９】
図１７はＩＳＣバルブ及び圧力センサの周辺部を示す分解断面図である。図１７に示すように、前記デバイスブロック５０には、前後方向（図１７において上下方向）に貫通する中空円筒状のモータ嵌合部７２が形成されている。モータ嵌合部７２の前端部内には、口径を小さくする段部７３が形成されている。モータ嵌合部７２は、後述するＩＳＣバルブ５１のステップモータ１０８がその後方（図１７において上方）から嵌合可能に形成されている。
【００４０】
前記デバイスブロック５０の取付面５０ａには、前記モータ嵌合部７２を取り囲みかつその段部７３と連続する円筒状をなす弁体嵌合部７４が形成されている。また、弁体嵌合部７４の先端部の内周面には、環状に張り出すフランジ部７５が形成されている。弁体嵌合部７４内には、後述するＩＳＣバルブ５１の弁体１１０及びバルブスプリング１３８がその後方（図１７において上方）から嵌合可能となっている。また、弁体嵌合部７４は、前記ユニット装着部２６のバイパス出口孔３０の弁体嵌合部用孔部３２ａ内に嵌合可能に形成されている（図６及び図７参照。）。また、弁体嵌合部７４の内周面には、適数個（図１７では１個を示す。）の位置決め凸部７６が等間隔すなわち１８０°間隔で形成されている。位置決め凸部７６は、弁体嵌合部７４の軸方向（図１７において上下方向）に延びている。
【００４１】
前記デバイスブロック５０の収容凹部５８の底面には、中空角筒状の圧力センサ用嵌合孔部７７が形成されている。さらに、圧力センサ用嵌合孔部７７の底面中央部には、前後方向（図１７において上下方向）に貫通する円形の圧力検出孔部７８が形成されている。圧力センサ用嵌合孔部７７内は、後述する圧力センサ５４のセンサ本体部５４ａがその後方（図１７において上方）から嵌合可能となっている。また、圧力検出孔部７８内には、圧力センサ５４の圧力検出部５４ｂが嵌合可能となっている。
【００４２】
図１８は温度センサの周辺部を示す分解断面図である。図１８に示すように、前記デバイスブロック５０には、前後方向（図１８において上下方向）に貫通する温度センサ用挿入孔部８０が形成されている。デバイスブロック５０の取付面５０ａには、温度センサ用挿入孔部８０の前端開口部を取り囲む中空円筒状の検出筒部８１が突出されている。検出筒部８１の先端部は、端板部８１ａによって閉鎖されている。検出筒部８１は、後述する温度センサ５３のサーミスタ１４０を温度センサ用挿入孔部８０を通じて挿入可能に形成されている。また、検出筒部８１は、前記ユニット装着部２６の装着面２６ａにおける吸気温検出用孔４２（図５参照。）内に嵌合可能に形成されている（図４参照。）。
【００４３】
図１４に示すように、前記デバイスブロック５０の取付面５０ａには、前記弁体嵌合部７４の下方近くに位置する左右の連絡凹部８３，８４、左側の連絡凹部８３と前記圧力検出孔部７８とを連通する縦長状の条溝部８５、右側の連絡凹部８４の下側に絞り溝部８６を介して連通する縦長状の中継凹部８７が形成されている。左側の連絡凹部８３は、前記ユニット装着部２６の装着面２６ａにおける連絡溝４０（図５参照。）の前端部（図５において右端部）に整合可能に形成されている。また、右側の連絡凹部８４は、前記連絡溝４０（図５参照。）の後端部（図５において左端部）に整合可能に形成されている。また、中継凹部８７は、ユニット装着部２６の装着面２６ａにおける合流孔部３９（図５参照。）に整合可能に形成されている。
【００４４】
図１４に示すように、前記デバイスブロック５０の取付面５０ａには、ガスケット用嵌合溝９０が形成されている。ガスケット用嵌合溝９０は、環状をなす第１〜第５の計５つの溝部９１〜９５が相互に一部を共用する不規則な網目状に形成されている。第１の溝部９１は、前記接続筒部６６を取り囲む環状に形成されている。また、第２の溝部９２は、前記バイパス通路溝６８及び前記弁体嵌合部７４を取り囲みかつ第１の溝部９１の上側部を共用する環状に形成されている。また、第３の溝部９３は、前記検出筒部８１を取り囲みかつ第２の溝部９１の下側部の左端部を共用する環状に形成されている。また、第４の溝部９４は、前記圧力検出孔部７８及び前記左側の連絡凹部８３並びに前記条溝部８５を取り囲みかつ第１の溝部９１の右側部及び第２の溝部９１の下側部の中央部を共用する環状に形成されている。また、第５の溝部９５は、前記右側の連絡凹部８４及び絞り溝部８６並びに中継凹部８７を取り囲みかつ第２の溝部９１の下側部の右端部及び第４の溝部９４の右側部を共用する環状に形成されている。なお、ガスケット用嵌合溝９０に嵌合されるガスケット１８０については後で説明する。
【００４５】
図１１に示すように、前記デバイスブロック５０の左側部には、コネクタ部９７が樹脂モールド成形により一体形成されている。コネクタ部９７は、各デバイス部品すなわちＩＳＣバルブ５１、スロットルポジションセンサ５２、温度センサ５３、及び、圧力センサ５４に係る各コネクタ部を１つに集約したものである。なお、図１２はデバイスユニットのスロットルポジションセンサの周辺部を示す断面図、図１３はデバイスブロックのコネクタ部の周辺部を示す断面図である。
【００４６】
図１３に示すように、前記コネクタ部９７には、所定本数（図１３では２本を示す。）のターミナル９８がインサート成形により配置されている。これらのターミナル９８としては、後述するＩＳＣバルブ５１のステップモータ１０８のＡ相用及びＢ相用（後述する。）の各２本、スロットル開度出力用、吸気温出力用、吸気圧出力用、電源用、グランド（接地）用の計９本のターミナルが相当する。これらのターミナル９８のコネクタ側の端末部は、相互に平行をなす状態で左方へ向けて突出されている。また、電源用、グランド用、スロットル開度出力用、吸気圧出力用の計４本の各ターミナル９８の反コネクタ側の端末部９８（符号、（ａ）を付す。）は、デバイスブロック５０の背面側（図１３において上方）に向けて折り曲げられている。その端末部９８（ａ）は、図１５に示すように、前記温度センサ用挿入孔部８０の上方において左右２列をなすように配列されている。また、後述するステップモータ１０８にかかるＡ相用及びＢ相用の各２本で計４本のターミナル９８の端末部（図示しない。）は、デバイスブロック５０の収容凹部５８の底面上に左右２本ずつ段違い状をなすように配置された上下各２つの端子板９９ａ，９９ｂに接続されている（図１１参照。）。これらの端子板９９ａ，９９ｂは、前記モータ嵌合部７２と圧力センサ用嵌合孔部７７との間において左右方向に並んでいる（図１５参照。）。また、吸気温出力用にかかるグランド用、吸気温出力用の計２本の各ターミナル９８の端末部（図示しない。）は、図１５に示すように、デバイスブロック５０の収容凹部５８の底面上に配置された上下２個の端子板１００ａ，１００ｂに接続されている。これらの端子板１００ａ，１００ｂは、前記温度センサ用挿入孔部８０の上下に隣接している。
【００４７】
前記コネクタ部９７は、電子制御ユニット（ＥＣＵ）からなる制御手段１０２（図１参照。）に電気的につながる外部コネクタ（図示しない。）が差し込みにより接続可能に形成されている。なお、制御手段１０２には、各デバイス部品すなわちＩＳＣバルブ５１、スロットルポジションセンサ５２、温度センサ５３、及び、圧力センサ５４、その他のセンサ、スイッチ等（図示しない。）の各種検出手段からの出力信号が入力される。また、制御手段１０２は、各種検出手段からの出力信号に基づいて、ＩＳＣバルブ５１のステップモータ１０８（後述する。）、その他の図示しない各種装置を制御する。
【００４８】
図１５に示すように、前記デバイスブロック５０の収容凹部５８の底面上には、上下一対をなす円柱状の基準ピン１０４が突出されている。上側の基準ピン１０４はモータ嵌合部７２の右上方に配置されているとともに、下側の基準ピン１０４は、収容凹部５８の左下側の隅角部に配置されている。また、両基準ピン１０４は、図１６に示すように、基部側を大径部としかつ先端側を小径部とする段付面１０４ａを有する段付ピン状に形成されている。この小径部の先端部は、先細りをなすテーパ状に形成されている。
【００４９】
図１５に示すように、前記デバイスブロック５０の収容凹部５８の底面上には、上下一対をなす円柱状の取付ピン１０６が突出されている。上側の取付ピン１０６は収容凹部５８の右上側の隅角部に配置されているとともに、下側の取付ピン１０６はモータ嵌合部７２の左下方に隣接して配置されている。また、両取付ピン１０６は、図１６に示すように、基部側を大径部としかつ先端側を小径部とする段付面１０６ａを有する段付ピン状に形成されている。この小径部の先端部は、先細りをなすテーパ状に形成されている。また、取付ピン１０６の段付面１０６ａと基準ピン１０４の段付面１０４ａとは、前記ロータ嵌合孔部６４の軸線６４Ｌに直交する一平面上に形成されている。また、前記周壁部５７の内周側の空きスペースには、両段付面１０４ａ，１０６ａと同一平面をなす支持面１０７が形成されている。両段付面１０４ａ，１０６ａ及び支持面１０７のなす同一平面は、デバイスブロック５０に配線基板５５（後述する。）を組付ける際の基準面ＤＬとなる。
【００５０】
次に、前記デバイスブロック５０の収容凹部５８内に組込まれるＩＳＣバルブ５１を説明する。図１７に示すように、ＩＳＣバルブ５１は、ステップモータ（ステッピングモータ、ステッパモータ等とも呼ばれている。）１０８と、そのステップモータ１０８により軸方向に進退移動される弁体１１０とを備えている。本実施例のステップモータ１０８には、バイポーラ型のステップモータが用いられている。なお、ステップモータ１０８は、本明細書でいう「アクチュエータ」に相当する。また、図１９はＩＳＣバルブを示す断面図、図２０はＩＳＣバルブを弁体の先端側から見た正面図である。
【００５１】
図１９に示すように、前記ステップモータ１０８は、強磁性体からなる有底円筒状のモータハウジング１１２内に収容されたステータ１１３と、ステータ１１３内で回転するモータロータ１１４とを備えている。ステータ１１３は、樹脂製のボビン１１５を備えている。ボビン１１５は、４個のヨーク１１６及び４本の端子１１７（図２０参照。）をインサート成形したものである。また、ヨーク１１６は、２個１組として軸方向に積層状に配置されている。ボビン１１５には、ヨーク１１６を被覆する被覆部１１８のほか、モータハウジング１１２の開口側にフランジ状に形成された端板部１１９、端板部１１９の外周面に平行状に突出する一対の端子支持部１２０，１２１（図１７参照。）が一体形成されている。各端子支持部１２０，１２１には、それぞれ２本ずつの端子１１７の基端部が埋設されている（図１１参照。）。各端子１１７は、各端子支持部１２０，１２１より段違い状に引き出されている。また、図２０に示すように、ステップモータ１０８の計４本の端子１１７のうち、Ａ相用の２本の端子１１７に符号、（Ｓ１）、（Ｓ２）を付し、Ｂ相用の２本の端子１１７に符号、（Ｓ３）、（Ｓ４）を付す。なお、ステータ１１３は、本明細書でいう「固定側部材」に相当する。
【００５２】
図１９に示すように、前記ボビン１１５の外周部には、コイル線１２２が上下２段に巻装されている。コイル線１２２の端末部は各端子１１７（図１７参照。）にそれぞれ接続されている。また、ボビン１１５の端板部１１９上には、前記モータハウジング１１２の開口端面を閉鎖する金属製のカバープレート１２３が重合されている。
また、前記モータハウジング１１２の底板部１１２ａには、例えば金属製のドライベアリング１２５が一体的に設けられている。ドライベアリング１２５は、円環状に形成されており、例えば、底板部１１２ａに形成された軸孔１１２ｂに圧入することにより、底板部１１２ａに装着されている。なお、モータハウジング１１２の底板部１１２ａは、本明細書でいう「金属部」に相当する。
また、前記ボビン１１５の端板部１１９には、例えば金属製のドライベアリング１２４が一体的に設けられている。ドライベアリング１２４は、円環状に形成されており、例えば、端板部１１９にインサート成形したり、端板部１１９に嵌合して接着したり、端板部１１９に圧入したりして、端板部１１９に装着されている。なお、ボビン１１５の端板部１１９は、本明細書でいう「樹脂部」に相当する。
また、両ドライベアリング１２４，１２５は、ステータ１１３に対して同一軸線上に配置されている。なお、ドライベアリング１２４，１２５は、本明細書でいう「滑り軸受」に相当する。また、説明の都合上、弁体１１０側（図１９において下側）のドライベアリング１２４を「前側のドライベアリング１２４」といい、反弁体側（図１９において上側）のドライベアリング１２４を「後側のドライベアリング１２４」という。
【００５３】
前記モータロータ１１４は、金属製の丸棒状のロータシャフト１２７と、ロータシャフト１２７の外周部に設けられた円筒状のマグネット１３０とを備えている。ロータシャフト１２７は、前記一対のドライベアリング１２４，１２５に挿通した状態で回転可能に支持されている。マグネット１３０は、ロータシャフト１２７における両ドライベアリング１２４，１２５の相互間における軸部分を取り巻くように設けられている。また、マグネット１３０は、前記ヨーク１１６の内周面に対して所定の隙間を隔ててて対応し、かつ、ヨーク１１６の各磁極歯に対応する数のＮ極、Ｓ極が交互に着磁されている。また、前記モータハウジング１１２外へ突出するロータシャフト１２７の先端部には、ねじ軸部１２９が形成されている。なお、ロータシャフト１２７は、本明細書でいう「作動部材」に相当する。また、両ドライベアリング１２４，１２５により軸支されたロータシャフト１２７は軸移動をきたすことから、そのロータシャフト１２７の軸移動を規制するために設けられている軸移動規制手段２５０，２５２については後で詳しく説明することにする。
【００５４】
前記弁体１１０は、例えば樹脂製で、中空円筒状をなす筒状部１３２と、その筒状部１３２の先端部（図１９において下端部）に形成された先細りをなすテーパ面１３３ａを有する円柱状の弁先部１３３と、前記筒状部１３２の基端部（図１９において上端部）の外周部に環状に突出されたフランジ部１３４とを有している。また、図２０に示すように、フランジ部１３４の外周面には、適数個（図２０では４個を示す。）の位置決め溝１３４ａが等間隔すなわち９０°間隔で形成されている。
【００５５】
図１９に示すように、前記弁体１１０の筒状部１３２内の有底孔状の凹孔２５４は、開口側半部（図１９において上半部）を大径孔部２５４ａとしかつ底部側半部（図１９において下半部）を小径孔部２５４ｂとする段付孔状に形成されている。その大径孔部２５４ａ内には、ねじ孔を有するナット部材１３６が圧入（例えば、熱圧入）により一体化されている。ナット部材１３６（詳しくは、ねじ孔）内には、前記ロータシャフト１２７のねじ軸部１２９が螺合されている。また、筒状部１３２の小径孔部２５４ｂは、ロータシャフト１２７のねじ軸部１２９を遊嵌可能に形成されている。したがって、前記モータロータ１１４の回転（正転及び逆転）により、ねじ軸部１２９とナット部材１３６との螺合を介して、弁体１１０が軸方向に進退移動可能（図１９において上下動可能）となっている。なお、ロータシャフト１２７のねじ軸部１２９とナット部材１３６とは、「ねじ機構」を構成している。
【００５６】
図２１はＩＳＣバルブ及び温度センサを搭載したデバイスブロックのデバイスカバー取付側を示す側面図、図２２はデバイスブロックに対するＩＳＣバルブの搭載状態を示す断面図である。図２２に示すように、前記ＩＳＣバルブ５１は、前記デバイスブロック５０の収容凹部５８内に搭載されている。詳しくは、前記弁体１１０が前記弁体嵌合部７４内に嵌合されるととともに、前記ステップモータ１０８が前記モータ嵌合部７２内に嵌合されている。このとき、弁体１１０のフランジ部１３４と弁体嵌合部７４のフランジ部７５との間には、コニカルスプリングからなるバルブスプリング１３８が介装されている。バルブスプリング１３８は、小径側の端部を弁体１１０のフランジ部１３４に当接させるとともに、大径側の端部を弁体嵌合部７４のフランジ部７５に当接させている。バルブスプリング１３８の小径側の端部は、弁体１１０のフランジ部１３４に環状に形成された環状凹部１３４ｂ内に嵌合されている。バルブスプリング１３８は、弁体１１０とともに前記モータロータ１１４を後退方向（図２２において上方）へ弾性的に付勢している。これにより、ロータシャフト１２７がカバープレート１２３に当接する状態に弾性的に保持されている。
【００５７】
また、前記弁体１１０のフランジ部１３４の位置決め溝１３４ａ（図１７参照。）は、前記デバイスブロック５０の弁体嵌合部７４内の位置決め凸部７６（図１７参照。）にスライド可能に嵌合される。これにより、弁体１１０が軸回り方向に回り止めされる。このとき、位置決め溝１３４ａが位置決め凸部７６の倍数（本実施例では２倍）をもって形成されているので、弁体１１０をデバイスブロック５０の弁体嵌合部７４内に容易に嵌合することができる。また、弁体１１０の弁先部１３３は、デバイスブロック５０の弁体嵌合部７４のフランジ部７５内に挿通されており、そのフランジ部７５より先方（図２２において下方）へ突出されている。
【００５８】
図２２に示すように、前記モータ嵌合部７２内に前記ステップモータ１０８が嵌合されることにより、そのステップモータ１０８の各端子１１７が、前記デバイスブロック５０の収容凹部５８の底面上に配置されている各端子板９９ａ，９９ｂ上にそれぞれ載置される（図２１参照。）。この状態で、各端子１１７が各端子板９９ａ，９９ｂ上に抵抗溶接等により接続される。なお、ステップモータ１０８は、デバイスブロック５０に設けられるデバイスカバー６０によって抜け止めされる（図１９参照。）。
【００５９】
次に、前記デバイスブロック５０の収容凹部５８内に組込まれる温度センサ５３を説明する。図１８に示すように、温度センサ５３は、サーミスタ１４０を主体として構成されている。なお、図２３は温度センサの搭載状態を示す断面図である。
図２３に示すように、サーミスタ１４０は、デバイスブロック５０の温度センサ用挿入孔部８０を通じて検出筒部８１内に挿入されている。これにともない、サーミスタ１４０の２本のターミナル１４１の端末部が、前記デバイスブロック５０の収容凹部５８の底面上に配置されている各端子板１００ａ，１００ｂ上に載置される（図２１参照。）。この状態で、各ターミナル１４１の端末部が各端子板１００ａ，１００ｂ上に抵抗溶接等により接続されている。
【００６０】
次に、前記デバイスブロック５０の収容凹部５８内に組込まれるスロットルポジションセンサ５２を説明する。図１６に示すように、スロットルポジションセンサ５２は、前記デバイスブロック５０と配線基板５５（後述する。）との間に組込まれるセンサロータ１４３を備えている。センサロータ１４３は、例えば、樹脂製で、配線基板５５に面するほぼ円板状のロータ主部１４３ａと、そのロータ主部１４３ａのデバイスブロック５０側（図１６において下側）に突出するほぼ円筒状の連結筒部１４３ｂと、ロータ主部１４３ａの配線基板５５側（図１６において上側）に突出する支軸部１４３ｃとを同一軸線上に備えている。連結筒部１４３ｂは、前記ロータ嵌合孔部６４のフランジ部６５内に遊嵌されている（図１２及び図１３参照。）。連結筒部１４３ｂ内には板ばね１４４が組み込まれている。なお、板ばね１４４は、スロットルシャフト９のセンサロータ連結部２４にセンサロータ１４３を連結した際に、センサロータ連結部２４にセンサロータ１４３を径方向に弾性的に保持する。また、支軸部１４３ｃは、配線基板５５に形成された支軸部挿通孔１５８内に遊嵌される。さらに、支軸部１４３ｃは、後述するデバイスカバー６０に形成された軸受凹部１７０内に回転可能に軸支される。
【００６１】
図１２に示すように、前記ロータ嵌合孔部６４のフランジ部６５と前記センサロータ１４３のロータ主部１４３ａとの間の環状をなす対向面間には、ウェーブワッシャ（ウェーブスプリング、波形ばね座金とも呼ばれている。）１４５が介装されている。ウェーブワッシャ１４５は、常に、センサロータ１４３をデバイスカバー６０側へ付勢する。なお、ウェーブワッシャ１４５は、本明細書でいう「弾性部材」に相当する。
【００６２】
前記ロータ主部１４３ａのデバイスカバー６０側の面（図１２において上面）には、配線基板５５の抵抗体部１５０，１５１（後述する。）上を摺動可能な摺動子であるブラシ１４７が設けられている。スロットルポジションセンサ５２は、センサロータ１４３の回転にともない、ブラシ１４７が配線基板５５の抵抗体部１５０，１５１上を摺動することにより電気信号に変換してその信号を出力する接触式のスロットルポジションセンサ５２となっている。
【００６３】
次に、前記デバイスブロック５０の収容凹部５８内に組込まれる配線基板５５を説明する。なお、図２４は配線基板を搭載したデバイスブロックのデバイスカバー取付側を示す側面図、図２５は配線基板を示す表面図、図２６は同じく裏面図である。
図２４に示すように、配線基板５５は、前記デバイスブロック５０の収容凹部５８内に嵌合可能な外形をもって形成されている（図２４参照。）。図２５に示すように、配線基板５５の表面には、所定の配線パターン１４８が印刷されている。また、図２６に示すように、配線基板５５の裏面には、所定の配線パターン１４９が印刷されている。配線基板５５の裏面には、前記センサロータ１４３のブラシ１４７に対応する扇形をなす内外の両抵抗体部１５０，１５１が形成されているとともに、圧力センサ５４（後述する。）が実装されている。
【００６４】
図２５及び図２６に示すように、前記配線基板５５には、上下一対の基準孔１５３が形成されている。両取付孔１５５は、前記デバイスブロック５０の両基準ピン１０４に対応しており、その取付ピン１０６の先端側の小径部に嵌合可能に形成されている（図１５及び図１６参照。）。また、基準孔１５３は、配線基板５５に配線パターン１４８，１４９を印刷する際の基準孔としても使用される。
【００６５】
図２５及び図２６に示すように、前記配線基板５５には、上下一対の取付孔１５５が形成されている。両取付孔１５５は、前記デバイスブロック５０の両取付ピン１０６に対応しており、その取付ピン１０６の先端側の小径部に嵌合可能に形成されている（図１５及び図１６参照。）。
【００６６】
図２５に示すように、前記配線基板５５には、左右２列で計４個のターミナル挿通孔１５７が形成されている。これらのターミナル挿通孔１５７は、前記デバイスブロック５０の収容凹部５８の底面上に突出された計４本の各ターミナル９８の反コネクタ側の端末部９８（ａ）に対応しており、その端末部９８（ａ）に嵌合可能に形成されている（図１５参照。）。
また、図２５に示すように、前記配線基板５５の中央部には、支軸部挿通孔１５８が形成されている。支軸部挿通孔１５８は、前記センサロータ１４３の支軸部１４３ｃに対応しており、その支軸部１４３ｃに遊嵌可能に形成されている（図１６参照。）。
【００６７】
図２６に示すように、前記配線基板５５の裏面上には、圧力センサ５４が実装されている。圧力センサ５４は、その主体をなすセンサ本体部５４ａと、そのセンサ本体部５４ａ上（図２６において紙面表方）に突出する円柱状の圧力検出部５４ｂとを有している。センサ本体部５４ａは、前記デバイスブロック５０の圧力センサ用嵌合孔部７７に対応しており、その嵌合孔部７７に嵌合可能に形成されている。また、圧力検出部５４ｂは、デバイスブロック５０の圧力検出孔部７８に対応しており、その圧力検出孔部７８に嵌合可能に形成されている（図１７参照。）。
また、図２５に示すように、配線基板５５には、前記抵抗体部１５０，１５１と計４個のターミナル挿通孔１５７との間を横切る長細状の隔離孔１６０が形成されている。
【００６８】
前記配線基板５５は、前記デバイスブロック５０の収容凹部５８内に次に述べるようにして搭載されている。すなわち、配線基板５５は、その裏面がデバイスブロック５０の収容凹部５８内の底面に面するようにして、その収容凹部５８内に嵌合されている（図２４参照。）。このとき、両基準孔１５３内にデバイスブロック５０の両基準ピン１０４の先端側の小径部が相対的に嵌合されることにより、配線基板５５が板面に平行する方向すなわちラジアル方向及び回転方向に位置決めされる（図１２参照。）。また、両基準ピン１０４の小径部の先端部の先細りのテーパ状部分が両基準孔１５３をガイドすることにより、配線基板５５が所定位置に速やかに位置決めすることができる。また、両基準孔１５３の口縁部が両基準ピン１０４の段付面１０４ａ（図１６参照。）上に当接されることにより、配線基板５５が収容凹部５８の基準面ＤＬ上に支持される（図１２参照。）。
【００６９】
前記配線基板５５の外周部が前記収容凹部５８の支持面１０７（図１６参照。）上に当接されることによっても、配線基板５５が収容凹部５８の基準面ＤＬ上に支持される（図１２参照。）。また、両取付孔１５５内にデバイスブロック５０の両取付ピン１０６の先端側の小径部が相対的に嵌合され、かつ両取付孔１５５の口縁部が両取付ピン１０６の段付面１０６ａ（図１６参照。）上に当接されることによっても、配線基板５５が収容凹部５８の基準面ＤＬ上に支持される（図１２参照。）。このとき、両取付ピン１０６の小径部の先端部の先細りのテーパ状部分が両取付孔１５５をガイドすることによっても、配線基板５５が所定位置に速やかに位置決めすることができる。
【００７０】
前記配線基板５５の各ターミナル挿通孔１５７（図２５参照。）内に、前記デバイスブロック５０の収容凹部５８の底面上に突出された計４本の各ターミナル９８の端末部９８（ａ）（図２４参照。）が挿入される（図２４参照。）。そして、配線基板５５の各ターミナル挿通孔１５７の周りの配線パターン１４８，１４９（図２５及び図２６参照。）の導電部（符号省略）と各ターミナル９８の端末部９８（ａ）とがはんだ付けによって接続される。なお、はんだ付けによる結線部に符号、１６４を付す（図１３及び図２４参照。）。
また、配線基板５５の支軸部挿通孔１５８内には、前記センサロータ１４３の支軸部１４３ｃが遊嵌される（図１２及び図１３参照。）。
【００７１】
図２７はデバイスブロックに対する圧力センサの搭載状態を示す断面図である。図２７に示すように、デバイスブロック５０の収容凹部５８内に対する配線基板５５の搭載にともない、圧力センサ５４のセンサ本体部５４ａが、デバイスブロック５０の圧力センサ用嵌合孔部７７内に嵌合されるとともに、その圧力検出部５４ｂがデバイスブロック５０の圧力検出孔部７８内に嵌合される。なお、圧力センサ５４のセンサ本体部５４ａと圧力センサ用嵌合孔部７７との間には、両者間をシールするためのシール材（図示しない。）が適宜介在される。
【００７２】
また、図１２に示すように、前記配線基板５５の表面上に突出する取付ピン１０６の先端部を熱かしめにより押し潰することにより膨大部１６２を形成する。これにより、デバイスブロック５０に配線基板５５が抜け止めされる。
【００７３】
次に、前記デバイスブロック５０にモジュール化されたデバイス部品を覆うデバイスカバー６０について説明する。図１１に示すように、デバイスカバー６０は、樹脂製で、デバイスブロック５０の収容凹部５８の周壁部５７に対応する外径形状をもつ平板状に形成されている。なお、図２８はデバイスカバーを示す裏面図である。
【００７４】
図２８に示すように、前記デバイスカバー６０の裏面には、上下一対の基準凹部１６８が形成されている。両基準凹部１６８は、前記デバイスブロック５０の両基準ピン１０４に対応しており、その取付ピン１０６の先端側の小径部に嵌合可能に形成されている（図１６参照。）。また、デバイスカバー６０の裏面の中央部には、軸受凹部１７０が形成されている（図２８参照。）。軸受凹部１７０は、前記センサロータ１４３の支軸部１４３ｃに対応しており、その支軸部１４３ｃを軸支可能に形成されている（図１６参照。）。
【００７５】
前記デバイスカバー６０の裏面には、上下一対のかしめ部用逃がし凹部１７２が形成されている（図２８参照。）。両逃がし凹部１７２は、前記デバイスブロック５０の両取付ピン１０６に対応しており、その取付ピン１０６の膨大部１６２（図１２参照。）を収容可能に形成されている（図１６参照。）。また、デバイスカバー６０の裏面には、ターミナル用逃がし凹部１７３が形成されている（図２８参照。）。逃がし凹部１７３は、前記配線基板５５と前記各ターミナル９８の端末部９８（ａ）とのはんだ付けによる結線部１６４に対応しており、その接続部分を収容可能に形成されている（図１３参照。）。また、デバイスカバー６０の裏面には、モータ用逃がし凹部１７４が形成されている（図１３参照。）。逃がし凹部１７４は、前記ステップモータ１０８のモータハウジング１１２に対応しており、そのモータハウジング１１２の後部を収容可能に形成されている（図６及び図７参照。）。
【００７６】
図１２及び図１３に示すように、前記デバイスカバー６０は、前記デバイスブロック５０にその収容凹部５８の開口端面を閉鎖するように被せられる。このとき、デバイスカバー６０の両基準凹部１６８内にデバイスブロック５０の両基準ピン１０４の先端側の小径部が相対的に嵌合されることにより、デバイスカバー６０が板面に平行する方向すなわちラジアル方向及び回転方向に位置決めされる。また、デバイスカバー６０の軸受凹部１７０内に前記センサロータ１４３の支軸部１４３ｃが相対的に嵌合されることにより、デバイスカバー６０にセンサロータ１４３が回転可能に軸支される。
【００７７】
また、デバイスカバー６０の両かしめ部用逃がし凹部１７２内にデバイスブロック５０の前記両取付ピン１０６の膨大部１６２が収容される（図１２参照。）。また、デバイスカバー６０のターミナル用逃がし凹部１７３内に、前記配線基板５５と各ターミナル９８の端末部９８（ａ）とのはんだ付けによる結線部１６４が収容される（図１３参照。）。また、デバイスカバー６０のモータ用逃がし凹部１７４内に前記ステップモータ１０８のモータハウジング１１２の後部が収容される（図６及び図７参照。）。そして、デバイスブロック５０の周壁部５７にデバイスカバー６０の外周部が樹脂溶着により接合されている（図１２及び図１３参照。）。
【００７８】
図２９はガスケットを装着したデバイスブロックのスロットルボデー取付側を示す側面図である。図２９に示すように、前記デバイスブロック５０のガスケット用嵌合溝９０（図１４参照。）にはガスケット１８０が嵌合される。なお、図３０はガスケットを示す表面図である。
図３０に示すように、ガスケット１８０は、デバイスブロック５０のガスケット用嵌合溝９０（図１４参照。）に対応する形状をもって形成されている。ガスケット１８０は、環状をなす第１〜第５の計５つのシール部１８１〜１８５が相互に一部を共用する不規則な網目状に形成されている。図２９に示すように、第１のシール部１８１は、ガスケット用嵌合溝９０の前記第１の溝部９１に嵌合可能に形成されている。また、第２のシール部１８２は、ガスケット用嵌合溝９０の前記第２の溝部９２に嵌合可能に形成されている。また、第３のシール部１８３は、ガスケット用嵌合溝９０の前記第３の溝部９３に嵌合可能に形成されている。また、第４のシール部１８４は、ガスケット用嵌合溝９０の前記第４の溝部９４に嵌合可能に形成されている。また、第５のシール部１８５は、ガスケット用嵌合溝９０の前記第５の溝部９５に嵌合可能に形成されている。なお、ガスケット１８０は、前記スロットルボデー２に対する前記デバイスブロック５０の取付けに際して、そのデバイスブロック５０のガスケット用嵌合溝９０に嵌合される。
【００７９】
次に、前記デバイスユニット３を前記スロットルボデー２に取付ける手順について説明する。すなわち、図２に示すように、デバイスユニット３をスロットルボデー２のユニット装着部２６に対応させる（図２中、二点鎖線３参照。）。この状態から、デバイスブロック５０のデバイスブロック５０の取付面５０ａを、スロットルボデー２のユニット装着部２６の装着面２６ａに面接触させる。そして、ユニット装着部２６の各締結ボス部４４のねじ孔４４ａ（図５参照。）と、デバイスブロック５０の各取付ボス部６２のボルト挿通孔６２ａ（図２９参照。）とが整合する状態で、締結用ボルト４５を各ボルト挿通孔６２ａを通して各ねじ孔４４ａに締め付けることにより、スロットルボデー２にデバイスブロック５０がスロットルバルブ１４の回動軸線（９Ｌ（図３参照。））方向に着脱可能に取付けられる（図１〜図３参照。）。
【００８０】
図８はスロットルボデーのスロットルシャフトとスロットルポジションセンサとの関係を示す断面図である。図８に示すように、デバイスブロック５０をユニット装着部２６に面接触させるに際し、デバイスブロック５０の接続筒部６６が、ユニット装着部２６の軸受ボス部１０の開口凹部２２内に嵌合される。これとともに、センサロータ１４３の連結筒部１４３ｂ内に、スロットルシャフト９のセンサロータ連結部２４が板ばね１４４を介して連結される。これにより、センサロータ１４３がスロットルシャフト９と一体的に回転可能に連結される。板ばね１４４は、センサロータ連結部２４に対してセンサロータ１４３を径方向に弾性的に保持する。したがって、スロットルポジションセンサ５２が、センサロータ１４３の回転をもってスロットルバルブ１４の開度を検出することができる。
【００８１】
図６に示すように、前記デバイスブロック５０を前記ユニット装着部２６に面接触させた際には、デバイスブロック５０のバイパス通路溝６８が、ユニット装着部２６のバイパス通路溝３７に整合する。これにより、閉断面をなしかつバイパス入口孔２８とバイパス出口孔３０とを連通することにより、スロットルバルブ１４を迂回するバイパス通路７０が形成される。これにより、ボア７内を流れる吸入空気は、バイパス入口孔２８からバイパス通路７０を通じてバイパス出口孔３０からボア７に流出する。また、バイパス出口孔３０において、吸入空気（補助吸気）は、横孔部３２の大径側の孔部３２ａ、小径側の孔部３２ｂを経て、縦孔部３１からボア７の下流側の中心部に向けて流出される（図４及び図７参照。）。
【００８２】
また、デバイスブロック５０の弁体嵌合部７４が、ユニット装着部２６のバイパス出口孔３０における横孔部３２の弁体嵌合部用孔部３２ａ内に嵌合される（図６及び図７参照。）。これにともない、ＩＳＣバルブ５１の弁体１１０が、横孔部３２の小径側の孔部３２ｂの弁シート部３３に対して同一軸線上に整合し、弁体１１０の弁先部１３３が弁シート部３３に対向する。これにより、スロットルシャフト９の軸線９Ｌと平行をなす方向に進退移動可能に配置される（図７参照。）。また、ＩＳＣバルブ５１のステップモータ１０８は、エンジンのアイドル時において、制御手段１０２（図１参照。）により駆動制御される。なお、図９はスロットルボデーの弁シート部に対するＩＳＣバルブの開弁状態を示す断面図、図１０は同じくＩＳＣバルブの閉弁状態を示す断面図である。
【００８３】
前記ＩＳＣバルブ５１の作動を説明する。いま、図１０に示すように、ＩＳＣバルブ５１の弁体１１０により弁シート部３３が閉鎖された状態すなわち閉弁状態にあるものとする。この閉弁状態おいて、制御手段１０２（図１参照。）からステップモータ１０８に開弁信号が出力されると、モータロータ１１４（図１９参照。）が開弁方向に回転（例えば、正転）される。このため、モータロータ１１４のロータシャフト１２７の回転により、そのロータシャフト１２７のねじ軸部１２９とナット部材１３６との螺合を介して、弁体１１０が後退（図１０において上動）されることにより、弁シート部３３が開かれる（図９参照。）。また、ＩＳＣバルブ５１の開弁状態（図９参照。）において、制御手段１０２（図１参照。）からステップモータ１０８に閉弁信号が出力されると、モータロータ１１４（図１９参照。）が閉弁方向に回転（例えば、逆転）される。このため、モータロータ１１４のロータシャフト１２７の回転により、そのロータシャフト１２７のねじ軸部１２９とナット部材１３６との螺合を介して、弁体１１０が進出（図９において下動）されることにより、弁シート部３３が閉じられる（図１０参照。）。上記したように、ステップモータ１０８の駆動制御に基づいて、弁体１１０が進退移動されることにより、バイパス通路７０を流れる吸入空気量が調整すなわち制御される。なお、ＩＳＣバルブ５１は、本明細書でいう「流量制御弁」に相当する。また、弁シート部３３を備えるスロットルボデー２とＩＳＣバルブ５１とにより、補助吸気量制御装置５１Ａが構成されている。
【００８４】
また、デバイスブロック５０の検出筒部８１（図２３参照。）が、ユニット装着部２６の吸気温検出用孔４２内に挿入され、かつその検出筒部８１の先端部がボア７内に突出される（図４参照。）。したがって、検出筒部８１の先端部が、ボア７内を流れる吸入空気に晒される。これにより、デバイスブロック５０の検出筒部８１内に配置された温度センサ５３のサーミスタ１４０（図２３参照。）の温度検出能をもって、ボア７内を流れる吸入空気の温度いわゆる吸気温を検出することができる。また、サーミスタ１４０は、デバイスブロック５０の検出筒部８１の先端部の温度（吸気温）を検出することにより、電気信号に変換してその信号を制御手段１０２（図１参照。）に出力する。
【００８５】
図３１は圧力通路を示す説明図、図３２は図３１のＸＸＸＩＩ−ＸＸＸＩＩ線矢視断面図、図３３は図３１のＸＸＸＩＩＩ−ＸＸＸＩＩＩ線矢視断面図、図３４は図３１のＸＸＸＩＶ−ＸＸＸＩＶ線矢視断面図である。図３２〜３４に示すように、前記デバイスブロック５０をユニット装着部２６に面接触させることにより、前記スロットルボデー２のボア７（図４参照。）と、デバイスブロック５０の圧力検出孔部７８（図２９参照。）とを連通する一連の閉断面をなす圧力通路１８７が形成される。
すなわち、デバイスブロック５０の中継凹部８７がユニット装着部２６の合流孔部３９に整合される（図３２参照。）。また、デバイスブロック５０の絞り溝部８６の開放端面がユニット装着部２６の装着面２６ａにより閉鎖される（図３２参照。）。また、デバイスブロック５０の右側の連絡凹部８４がユニット装着部２６の連絡溝４０の一端部（後端部）に整合される（図３２及び図３３参照。）。また、ユニット装着部２６の連絡溝４０の中央部の開放端面がデバイスブロック５０の取付面５０ａにより閉鎖される（図３３参照。）。また、デバイスブロック５０の左側の連絡凹部８３がユニット装着部２６の連絡溝４０の他端部（前端部）に整合される（図３３及び図３４参照。）。また、ユニット装着部２６の条溝部８５及び圧力検出孔部７８の開放端面がデバイスブロック５０の取付面５０ａにより閉鎖される（図３４参照。）。これにより、両圧力取入口３８、合流孔部３９、中継凹部８７、絞り溝部８６、右側の連絡凹部８４、連絡溝４０、左側の連絡凹部８３、条溝部８５、圧力検出孔部７８による一連の閉断面をなすラビリンス構造の圧力通路１８７が形成される（図３１参照。）。このため、ボア７内の吸気圧（負圧）が圧力通路１８７を通じて圧力センサ５４の圧力検出部５４ｂに作用することにより、ボア７内の吸気圧を圧力センサ５４によって検出することができる。また、圧力センサ５４は、圧力検出孔部７８を通じて圧力検出部５４ｂに作用する圧力すなわちスロットルバルブ１４の下流側におけるボア７内の吸気圧（負圧）を検出することによりその検出信号を制御手段１０２（図１参照。）に出力する。
【００８６】
また、デバイスブロック５０をスロットルボデー２に面接触させるに際し、デバイスブロック５０のガスケット用嵌合溝９０に装着されたガスケット１８０（図２９参照。）は、デバイスブロック５０の取付面５０ａとユニット装着部２６の装着面２６ａとの間における機械的な連結部分及び連通部分を弾性的にシールする（図３参照。）。しかして、図３１に示すように、ガスケット１８０の第４のシール部１８４と第５のシール部１８５との共用部（符号、１８０ａを付す。）は、第２のシール部１８２と第４のシール部１８４との共用部（符号、１８０ｂを付す。）、及び、第２のシール部１８２と第５のシール部１８５との共用部（符号、１８０ｃを付す。）に対してＴ字状に連続している。このため、共用部１８０ａが共用部１８０ｂ及び共用部１８０ｃと連続されない場合と比べて、デバイスブロック５０に対するガスケット１８０の据わりを良くすることができる。その共用部１８０ａは、図３３に示すように、ユニット装着部２６の装着面２６ａの連絡溝４０の開口端面上を横切るものの、その連絡溝４０を二分するものでない。
【００８７】
しかして、前記デバイスブロック５０には、前記デバイスカバー６０が全周に亘ってレーザー溶着により接合されている。なお、前記デバイスブロック５０は、レーザ光の吸収率の高い吸収性樹脂材で形成されている。デバイスブロック５０の樹脂材には、例えば、ポリブチレンテレフタレート樹脂（ＰＢＴ）に、ガラス繊維を約３０重量％混合しかつカーボンブラック、染料や顔料等の所定の着色材を混入したものを使用することができる。また、前記デバイスカバー６０は、レーザ光の透過率の高い透過性樹脂材で形成されている。デバイスカバー６０の樹脂材には、例えば、ポリブチレンテレフタレート樹脂（ＰＢＴ）に、ガラス繊維を約３０重量％混合したものを使用することができる。
【００８８】
次に、前記ＩＳＣバルブ５１（図１９参照。）において、両ドライベアリング１２４，１２５により軸支されたロータシャフト１２７の軸移動を規制するための軸移動規制手段２５０，２５２について詳しく説明する。なお、図３５はＩＳＣバルブの開状態を示す断面図、図３６は同じく閉状態を示す断面図、図３７はアクチュエータの開作動側の軸移動規制部を示す断面図、図３８は閉作動側の軸移動規制部を示す断面図である。
図３５に示すように、一方（図３５において下側）の軸移動規制手段２５０は、ステップモータ１０８の開作動時におけるロータシャフト１２７の軸方向前方（図３５において下方）への軸移動を規制するものであるので、開作動側軸移動規制手段２５０という。また、他方（図３５において上側）の軸移動規制手段２５２は、ステップモータ１０８の開作動時におけるロータシャフト１２７の軸方向後方（図３５において上方）への軸移動を規制するものであるので、開作動側軸移動規制手段２５２という。
【００８９】
まず、開作動側の軸移動規制手段２５０を説明する。図３５に示すように、開作動側の軸移動規制手段２５０は、ステップモータ１０８の開作動時において、弁体１１０の最大全開位置を規定するとともに、ステップモータ１０８のステータ１１３に対するロータシャフト１２７の弁体１１０側（図３５において下側）への進出移動を規制するものである。その軸移動規制手段２５０は、ロータシャフト１２７の軸方向の一端部すなわち前端部（図３５において下端部）と、弁体１１０に設けられかつロータシャフト１２７の前端部を受入れる凹孔２５４内の底面部（符号、２５４ｃを付す。）とにより構成されている（図３７参照。）。
【００９０】
図３７に示すように、前記ロータシャフト１２７の前端面（図３７において下端面）には、凸型球面状のバルブストッパ部２５６が突出されている。バルブストッパ部２５６は、前記弁体１１０の凹孔２５４内の底面部２５４ｃに点接触状に当接可能となっている。詳しくは、ステップモータ１０８の開作動により弁体１１０が閉状態（図３６参照。）から開いていくと、最終的に、図３５に示すように、弁体１１０がモータハウジング１１２の底板部１１２ａに当接する以前において、モータロータ１１４のロータシャフト１２７のバルブストッパ部２５６が弁体１１０の凹孔２５４内の底面部２５４ｃに点接触状に当接する（図３７参照。）ように構成している。これにより、ステップモータ１０８のステータ１１３に対するロータシャフト１２７の進出移動（図３５において下方への移動）が規制される。また、弁体１１０のそれ以上の開動作が規制されることにより、弁体１１０の最大全開位置が規定される（図３５参照。）。なお、弁体１１０は、ステップモータ１０８の開作動時におけるロータシャフト１２７の軸移動方向の端部に当接する部材に相当する。
【００９１】
次に、閉動側の軸移動規制手段２５２を説明する。図３６に示すように、閉作動側の軸移動規制手段２５２は、ステップモータ１０８の閉作動時において、ステップモータ１０８のステータ１１３に対するロータシャフト１２７の反弁体側への後退移動（図３６において上方への移動）を規制するものである。その軸移動規制手段２５２は、ロータシャフト１２７の軸方向の他端部すなわち後端部（図３６において上端部）と、前記ステータ１１３に設けられかつロータシャフト１２７の後端部に対向するカバープレート１２３とにより構成されている（図３８参照。）。
【００９２】
図３８に示すように、前記ロータシャフト１２７の後端面（図３８において上端面）は、凸型球面状のバルブストッパ部２５７として形成されている。バルブストッパ部２５７は、前記カバープレート１２３に点接触状に当接可能となっている。しかして、前に述べたように、モータロータ１１４は、前記バルブスプリング１３８の弾性力により弁体１１０とともに後退方向（図３６において上方）へ付勢されている。このため、ロータシャフト１２７のバルブストッパ部２５７は、バルブスプリング１３８の弾性力をもって、常にカバープレート１２３に点接触状に当接する状態に保持されている。また、ステップモータ１０８の閉作動により弁体１１０が開状態（図３５参照。）から閉じていくと、最終的に、弁体１１０がスロットルボデー２のユニット装着部２６の弁シート部３３に当接することで、バイパス通路７０が閉鎖されるとともに、弁体１１０のそれ以上の閉動作が規制されることにより、弁体１１０の最大全閉位置が規定される（図３６参照。）。このとき、ロータシャフト１２７が後退方向（図３６において上方）への反力を受けるが、バルブストッパ部２５７がカバープレート１２３に点接触状に当接しているため、ステップモータ１０８のステータ１１３に対するロータシャフト１２７の反弁体側への後退移動（図３６において上方への移動）が規制される。なお、カバープレート１２３は、ステップモータ１０８の閉作動時におけるロータシャフト１２７の軸移動方向の端部に当接する部材に相当する。
【００９３】
上記したＩＳＣバルブ５１（図３５参照。）によると、ステップモータ１０８のロータシャフト１２７により弁体１１０が作動されることでバイパス通路７０が開閉される。そして、ステップモータ１０８の開作動時におけるロータシャフト１２７の前方（図３５において下方）への軸移動が、そのロータシャフト１２７の前端部のバルブストッパ部２５６と弁体１１０との当接によって規制される（図３７参照。）。このため、ステップモータ１０８の開作動時におけるロータシャフト１２７の軸移動に起因するステップモータ１０８の作動不良を防止あるいは低減することができる。
【００９４】
また、ステップモータ１０８の開作動時におけるロータシャフト１２７のバルブストッパ部２５６と弁体１１０との当接により、ＩＳＣバルブ５１の全開位置でステップモータ１０８のイニシャライズを行なうことができる。このことは、例えば、エンジンの始動にバッテリを使わない二輪車（バッテリレス車と呼ばれる。）におけるＩＳＣバルブ５１の制御に対応することができる。すなわち、バッテリレス車では、通常、エンジンを停止したときにバッテリでＩＳＣバルブ５１の全閉位置でステップモータ１０８のイニシャライズを行なわなければならないのに対し、本実施例のＩＳＣバルブ５１によると、エンジンを始動しながらＩＳＣバルブ５１の全開位置でステップモータ１０８のイニシャライズを行なうことができるため、バッテリレス車におけるＩＳＣバルブ５１の制御に対応することができる。
【００９５】
また、ステップモータ１０８の閉作動時におけるロータシャフト１２７の後方（図３６において上方）への軸移動が、そのロータシャフト１２７の後端部のバルブストッパ部２５７とカバープレート１２３との当接によって規制される（図３８参照。）。このため、ステップモータ１０８の閉作動時におけるロータシャフト１２７の軸移動に起因するステップモータ１０８の作動不良を防止あるいは低減することができる。
また、ステップモータ１０８の閉作動時におけるロータシャフト１２７のバルブストッパ部２５７とカバープレート１２３との当接により、ＩＳＣバルブ５１の全開位置でステップモータ１０８のイニシャライズを行なうことができる。
【００９６】
また、ステップモータ１０８のイニシャライズを、ＩＳＣバルブ５１の全開位置と全閉位置との両方の位置で行なうことができる。このため、一機種のステップモータ１０８で、いずれの位置でのイニシャライズに対応することができる。
【００９７】
また、ステップモータ１０８の開作動時におけるロータシャフト１２７の前方（図３５において下方）への軸移動を、そのロータシャフト１２７の前端部のバルブストッパ部２５６と弁体１１０との点接触状の当接によって規制することができる（図３７参照。）。このため、ロータシャフト１２７と弁体１１０との間の摺動抵抗を低減することができる。ちなみに、ロータシャフト１２７の前端部のバルブストッパ部２５６と、弁体１１０の凹孔２５４内の底面部２５４ｃとによるロック状態を解除するために必要なロック解除トルクＴ１は、全開側へロータシャフト１２７を軸移動させるトルクをＦ、両者間の摩擦係数をμ１、両者間の当接しあう半径をｒ１とすると、半径ｒ１はバルブストッパ部２５６と弁体１１０の凹孔２５４内の底面部２５４ｃとの点接触状の当接であるため、ｒ１≒０（ゼロ）となるため、
Ｔ１＝Ｆμ１×ｒ１＝０
となる。したがって、ロック解除トルクＴ１が小さくて済むため、全開位置からスムーズに閉作動することができる。なお、弁体１１０の凹孔２５４内の底面部２５４ｃに凸型球面状のバルブストッパ部を設け、そのバルブストッパ部にロータシャフト１２７の前端面を点接触状に当接させてもよい。
【００９８】
また、ステップモータ１０８の閉作動時におけるロータシャフト１２７の後方（図３６において上方）への軸移動を、そのロータシャフト１２７の後端部のバルブストッパ部２５７とカバープレート１２３との点接触状の当接によって規制することができる（図３８参照。）。このため、ロータシャフト１２７とカバープレート１２３との間の摺動抵抗を低減することができる。このときのロック解除トルクも、前記開作動時のロック解除トルクＴ１と同様に小さくて済むため、全閉位置からスムーズに開作動することができる。なお、カバープレート１２３に凸型球面状のバルブストッパ部を設け、そのバルブストッパ部にロータシャフト１２７の後端面を点接触状に当接させてもよい。
【００９９】
また、ステップモータ１０８のステータ１１３に対して、ロータシャフト１２７が一対のドライベアリング１２４，１２５により回転可能に支持されている（図３５参照。）。したがって、ロータシャフト１２７を支持する軸受として、転がり軸受に比べて安価なドライベアリング１２４，１２５を用いることにより、ＩＳＣバルブ５１の低コスト化を図ることができる。
【０１００】
また、滑り軸受がドライベアリング１２４，１２５であるので、給油の必要がない。
【０１０１】
また、ステップモータ１０８の金属部すなわちモータハウジング１１２の底板部１１２ａにドライベアリング１２５を精度良く配置することができる。
【０１０２】
また、ステップモータ１０８の樹脂部すなわちボビン１１５の端板部１１９にドライベアリング１２４を容易に配置することができる。
【０１０３】
また、前記したエンジンの補助吸気量制御装置５１Ａ（図３５参照。）によると、ステップモータ１０８の開作動時及び閉作動時におけるロータシャフト１２７の軸移動に起因するステップモータ１０８の作動不良を防止あるいは低減することのできるＩＳＣバルブ５１により、バイパス通路７０を流れる補助吸気量を制御することができる。
【０１０４】
また、前記したエンジンの吸気装置１（図７参照。）によると、補助吸気量制御装置５１Ａをデバイスブロック５０にモジュール化してなるデバイスユニット３を、スロットルボデー２に着脱可能又は着脱不能に設けることができる。
【０１０５】
また、スロットルボデー２とデバイスユニット３との協働によりバイパス通路７０を容易に形成することができる（図６参照。）。
【０１０６】
また、スロットルボデー２に対してデバイスブロック５０が締結用ボルト４５（図１及び図２参照。）により着脱可能に締結されているので、必要に応じて締結用ボルト４５を取り外すことにより、スロットルボデー２からデバイスブロック５０を分離させることができる。このため、スロットルボデー２及びデバイスブロック５０のメンテナンスを容易に行うことができる。
【０１０７】
本発明は前記実施例に限定されるものではなく、本発明の要旨を逸脱しない範囲における変更が可能である。例えば、本発明のデバイスユニット３及びエンジンの吸気装置１は、二輪車に採用されているエンジン以外のエンジンにも適用することが可能である。また、デバイスユニット３は、スロットルボデー２以外の空気通路形成部材に設置することができる。また、スロットルボデー２にデバイスブロック５０を着脱可能に設けたが、スロットルボデー２にデバイスブロック５０を着脱不能に設けることもできる。また、デバイスユニット３は、デバイスブロック５０に少なくとも１つのデバイス部品がモジュール化されたものであればよい。また、デバイスブロック５０に対するデバイスカバー６０の樹脂溶着は、レーザー溶着に限らず、熱板を使用した溶着いわゆる熱板溶着、振動による溶着いわゆる振動溶着、抵抗線を使用する溶着いわゆる抵抗線溶着に代えることができる。また、デバイスブロック５０に対するデバイスカバー６０の樹脂溶着に代えて、接着剤による接着、ねじ止め、クリップ止め、スナップフィット結合等に代えることができる。また、接触式のスロットルポジションセンサ５２に代え、非接触式のスロットルポジションセンサを採用することもできる。また、ＩＳＣバルブ５１のアクチュエータとしては、前記実施例のステップモータ１０８に代えて、ＤＣモータ、ブラシレスモータ、電磁ソレノイド等を採用することができる。また、デバイスブロック５０とセンサロータ１４３との間に設けたウェーブワッシャ１４５は、皿ばね、コイルスプリング、ゴム状弾性材等に代えることができる。また、圧力取入口３８は、２個に限らず、１個あるいは３個以上とすることができる。
【０１０８】
また、開作動時の軸移動規制手段２５０と閉作動時の軸移動規制手段２５２のいずれか一方の軸移動規制手段は省略することが可能である。また、前記実施例では、一対の軸受にドライベアリング１２４，１２５を用いたが、その少なくとも一方の軸受には、流体潤滑タイプの滑り軸受、境界潤滑タイプの滑り軸受、涸渇潤滑タイプの滑り軸受を用いたり、あるいは、ボールベアリング、ニードルベアリング等の転がり軸受を用いたりすることができる。また、ドライベアリング１２４は、ステップモータ１０８の樹脂部（ボビン１１５の端板部１１９）に代えて、金属部に設けることができる。また、ドライベアリング１２５は、ステップモータ１０８の金属部（モータハウジング１１２の底板部１１２ａ）に代えて、樹脂部に設けることができる。また、前記実施例では、弁体１１０とロータシャフト１２７とを点接触状に当接させたが、弁体１１０とロータシャフト１２７とを面接触させることもできる。また、前記実施例では、カバープレート１２３とロータシャフト１２７とを点接触状に当接させたが、そのカバープレート１２３とロータシャフト１２７とを面接触させることもできる。また、両ドライベアリング１２４，１２５には、金属製に代えて、樹脂製のものを用いることができる。
【図面の簡単な説明】
【０１０９】
【図１】一実施例にかかるエンジンの吸気装置を示す側面図である。
【図２】エンジンの吸気装置を示す背面図である。
【図３】図１のＩＩＩ−ＩＩＩ線矢視断面図である。
【図４】図２のＩＶ−ＩＶ線矢視断面図である。
【図５】スロットルボデーのデバイスユニット取付側を示す側面図である。
【図６】バイパス通路を示す平断面図である。
【図７】図６のＶＩＩ−ＶＩＩ線矢視断面図である。
【図８】スロットルボデーのスロットルシャフトとスロットルポジションセンサとの関係を示す断面図である。
【図９】スロットルボデーの弁シート部に対するＩＳＣバルブの開弁状態を示す断面図である。
【図１０】スロットルボデーの弁シート部に対するＩＳＣバルブの閉弁状態を示す断面図である。
【図１１】デバイスユニットの構成部品を示す分解斜視図である。
【図１２】デバイスユニットのスロットルポジションセンサの周辺部を示す断面図である。
【図１３】デバイスユニットのコネクタ部の周辺部を示す断面図である。
【図１４】デバイスブロックを示す正面図である。
【図１５】デバイスブロックを示す背面図である。
【図１６】スロットルポジションセンサの周辺部を示す分解断面図である。
【図１７】ＩＳＣバルブ及び圧力センサの周辺部を示す分解断面図である。
【図１８】温度センサの周辺部を示す分解断面図である。
【図１９】ＩＳＣバルブを示す断面図である。
【図２０】ＩＳＣバルブを弁体の先端側から見た正面図である。
【図２１】ＩＳＣバルブ及び温度センサを搭載したデバイスブロックのデバイスカバー取付側を示す側面図である。
【図２２】デバイスブロックに対するＩＳＣバルブの搭載状態を示す断面図である。
【図２３】デバイスブロックに対する温度センサの搭載状態を示す断面図である。
【図２４】配線基板を搭載したデバイスブロックのデバイスカバー取付側を示す側面図である。
【図２５】配線基板を示す表面図である。
【図２６】配線基板を示す裏面図である。
【図２７】デバイスブロックに対する圧力センサの搭載状態を示す断面図である。
【図２８】デバイスカバーを示す裏面図である。
【図２９】ガスケットを装着したデバイスブロックのスロットルボデー取付側を示す側面図である。
【図３０】ガスケットを示す表面図である。
【図３１】圧力通路を示す説明図である。
【図３２】図３１のＸＸＸＩＩ−ＸＸＸＩＩ線矢視断面図である。
【図３３】図３１のＸＸＸＩＩＩ−ＸＸＸＩＩＩ線矢視断面図である。
【図３４】図３１のＸＸＸＩＶ−ＸＸＸＩＶ線矢視断面図である。
【図３５】ＩＳＣバルブの開状態を示す断面図である。
【図３６】ＩＳＣバルブの閉状態を示す断面図である。
【図３７】ステップモータの開作動側の軸移動規制部を示す断面図である。
【図３８】ステップモータの閉作動側の軸移動規制部を示す断面図である。
【図３９】従来の流量制御弁を示す断面図である。
【符号の説明】
【０１１０】
１  吸気装置
２  スロットルボデー
３  デバイスユニット
７  ボア（吸気通路）
１４  スロットルバルブ
２８  バイパス入口孔
３０  バイパス出口孔
５０  デバイスブロック
５１  ＩＳＣバルブ（流量制御弁）
５１Ａ  補助吸気量制御装置
７０  バイパス通路（補助吸気通路、流体通路）
１０８  ステップモータ（アクチュエータ）
１１０  弁体（ステップモータの開作動時にロータシャフトの端部に当接する部材）
１１２  モータハウジング
１１２ａ  底板部（金属部）
１１３  ステータ（固定側部材）
１１５  ボビン
１１９  端板部（樹脂部）
１２３  カバープレート（プレート部材、ステップモータの閉作動時にロータシャフトの端部に当接する部材）
１２４  ドライベアリング（滑り軸受）
１２５  ドライベアリング（滑り軸受）
１２７  ロータシャフト（作動部材）
１３８  バルブスプリング
２５４  凹孔
２５４ｃ  底面部
２５６  バルブストッパ部
２５７  バルブストッパ部
【図１】
2008019957.tif 000003
【図２】
2008019957.tif 000004
【図３】
2008019957.tif 000005
【図４】
2008019957.tif 000006
【図５】
2008019957.tif 000007
【図６】
2008019957.tif 000008
【図７】
2008019957.tif 000009
【図８】
2008019957.tif 000010
【図９】
2008019957.tif 000011
【図１０】
2008019957.tif 000012
【図１１】
2008019957.tif 000013
【図１２】
2008019957.tif 000014
【図１３】
2008019957.tif 000015
【図１４】
2008019957.tif 000016
【図１５】
2008019957.tif 000017
【図１６】
2008019957.tif 000018
【図１７】
2008019957.tif 000019
【図１８】
2008019957.tif 000020
【図１９】
2008019957.tif 000021
【図２０】
2008019957.tif 000022
【図２１】
2008019957.tif 000023
【図２２】
2008019957.tif 000024
【図２３】
2008019957.tif 000025
【図２４】
2008019957.tif 000026
【図２５】
2008019957.tif 000027
【図２６】
2008019957.tif 000028
【図２７】
2008019957.tif 000029
【図２８】
2008019957.tif 000030
【図２９】
2008019957.tif 000031
【図３０】
2008019957.tif 000032
【図３１】
2008019957.tif 000033
【図３２】
2008019957.tif 000034
【図３３】
2008019957.tif 000035
【図３４】
2008019957.tif 000036
【図３５】
2008019957.tif 000037
【図３６】
2008019957.tif 000038
【図３７】
2008019957.tif 000039
【図３８】
2008019957.tif 000040
【図３９】
2008019957.tif 000041